(57)【要約】【課題】架台装置を吊り上げる際の作業性の向上を可能とする。【解決手段】実施形態の吊り治具は、柱材と、装着部と、取付部とを備える。装着部は、柱材の下部に、吊り器具を装着するために架台装置の所定位置に設けられた吊り器具装着部に装着する。取付部は、柱材の上部に、吊り器具を取り付ける。【選択図】図５
2015104482.tif 000002
【特許請求の範囲】
【請求項１】
柱材と、
前記柱材の下部に、吊り器具を装着するために架台装置の所定位置に設けられた吊り器具装着部に装着する装着部と、
前記柱材の上部に、前記吊り器具を取り付ける取付部と、
を備える吊り治具。
【請求項２】
前記吊り器具装着部に装着し、前記柱材の下部に備えられた装着部を前記吊り器具装着部から離して装着させる板材を更に備え、
前記装着部は、前記板材を介して前記吊り器具装着部に装着される、
請求項１に記載の吊り治具。
【請求項３】
前記取付部は、前記吊り器具装着部に前記吊り器具を装着し、当該吊り器具を介して前記架台装置を吊り上げる際の、前記吊り器具に加わる力の力線に沿った位置に設けられる、
請求項１又は２に記載の吊り治具。
【請求項４】
前記装着部は、前記吊り器具装着部とは別の所定位置に設けられた係合部材と係合する係合部を有する、
請求項１乃至３のいずれか一項に記載の吊り治具。
【請求項５】
前記柱材は、前記下部と、前記上部との間に薄肉部を有する、
請求項１乃至４のいずれか一項に記載の吊り治具。
【発明の詳細な説明】
【技術分野】
【０００１】
本発明の実施形態は、吊り治具に関する。
【背景技術】
【０００２】
従来、ＭＲＩ（Magnetic Resonance Imaging）装置の架台装置は、製造後に撮影室内の所定位置に搬送され、施工される。この架台装置の搬送には、フォークリフトの爪を差し込んで搬送するための腰下（スキッド）や、運搬用トラックの荷台へのクレーンによる載せ降ろし作業がある。この載せ降ろし作業では、架台装置の上部において予め決められた取り付け位置にホイストリング等の吊り器具を取り付ける。そして、吊り器具に吊りワイヤを掛けてクレーン等で吊り上げて架台装置の載せ降ろしを行う。
【０００３】
ところで、架台装置を製造した後に搬送して施工するまでの作業工程を短縮するためには、架台装置を覆う架台カバーなどは可能な限り付けた状態で搬送することが好ましい。しかしながら、架台装置の上部における吊り器具の取り付け位置は予め決められていることから、架台カバーを取り付けた状態では、吊り器具が架台カバーに干渉しないように注意して吊り上げの作業を行う必要があり、作業性がよくなかった。
【先行技術文献】
【特許文献】
【０００４】
【特許文献１】特開平４−１５８８４１号公報
【特許文献２】実開平４−１３１２１３号公報
【特許文献３】特開２０１１−１１５４８０号公報
【特許文献４】特開２００９−１１６５２号公報
【特許文献５】実公平７−３１７６８号公報
【発明の概要】
【発明が解決しようとする課題】
【０００５】
本発明が解決しようとする課題は、架台装置を吊り上げる際の作業性の向上を可能とする吊り治具を提供することである。
【課題を解決するための手段】
【０００６】
実施形態の吊り治具は、柱材と、装着部と、取付部とを備える。装着部は、前記柱材の下部に、吊り器具を装着するために架台装置の所定位置に設けられた吊り器具装着部に装着する。取付部は、前記柱材の上部に、前記吊り器具を取り付ける。
【図面の簡単な説明】
【０００７】
【図１】図１は、架台装置の一例を示す斜視図である。
【図２】図２は、架台カバーの構成例を示す説明図である。
【図３】図３は、実施形態にかかる吊り治具を架台装置の上部へ装着した装着例を説明する説明図である。
【図４】図４は、図３の領域を左上方向から見下ろした場合の説明図である。
【図５】図５は、吊り治具の装着にかかる構成を示す分解斜視図である。
【図６】図６は、吊り治具の前側の斜視図である。
【図７】図７は、吊り治具の左側の斜視図である。
【図８】図８は、吊り治具の上側の斜視図である。
【図９】図９は、板材の斜視図である。
【図１０】図１０は、吊り治具の後側の斜視図である。
【図１１】図１１は、吊り治具の上側の斜視図である。
【図１２】図１２は、架台カバーを外した磁石架台を上から見た平面図である。
【図１３】図１３は、部分カバー、吊り治具を装着した磁石架台を上から見た平面図である。
【図１４】図１４は、図１３の領域の拡大図である。
【図１５】図１５は、吊り治具にかかる力線を説明する説明図である。
【図１６】図１６は、吊り治具にかかる力線を説明する説明図である。
【図１７】図１７は、吊り上げ作業前を説明する説明図である。
【図１８】図１８は、吊り上げ作業時を説明する説明図である。
【発明を実施するための形態】
【０００８】
以下、添付図面を参照して、実施形態にかかる吊り治具を詳細に説明する。なお、以下の説明において、同様の構成要素には共通の符号を付与するとともに、重複する説明を省略する。
【０００９】
まず、搬送の対象物である架台装置を説明する。図１は、架台装置１０の一例を示す斜視図である。なお、以下の説明において、架台装置１０における位置又は方向を示す場合には、架台装置１０の中心を基準にして、寝台１２が置かれた側を前側と定義し、その反対側を後側と定義する。また、架台装置１０の中心を基準にして、寝台１２の天板１３に載置される被検体の体軸と略一致する軸を軸Ｚと定義する。また、架台装置１０の中心を基準にして前側を向いた際の、軸Ｚより右を右側と定義し、軸Ｚより左を左側と定義する。また、軸Ｚより上を上側と定義し、軸Ｚより下を下側と定義する。
【００１０】
図１に示すように、架台装置１０は、磁気共鳴現象を利用して被検体の画像の元になる磁気共鳴（Magnetic  Resonance：ＭＲ）信号データを収集する装置である。具体的には、架台装置１０は、架台カバー１６で囲われた内部に、ＭＲ信号データを収集する磁石架台１１を有する。磁石架台１１は、静磁場磁石と、傾斜磁場コイルと、送信コイルとを有する（いずれも図示しない）。また、磁石架台１１の内側に形成された撮像空間には、受信コイル（図示しない）が配置されている。
【００１１】
静磁場磁石は、概略円筒状に形成され、円筒内に形成された撮像空間に静磁場を発生させる。傾斜磁場コイルは、静磁場磁石の内周側に配置され、撮像空間に傾斜磁場を発生させる。送信コイルは、傾斜磁場コイルの内周側に配置され、撮像空間に高周波磁場を発生させる。受信コイルは、高周波磁場の影響によって被検体から発生するＭＲ信号を受信する。
【００１２】
また、架台装置１０は、磁石架台１１への撮像空間へ通じる開口部１４の左右両側に寝台操作部１５を備える。寝台操作部１５は、操作者から寝台１２の動作に関する指示を受け付ける。具体的には、寝台操作部１５は、天板１３の移動機構にかかる操作指示を受け付ける。寝台１２の天板１３に載置された被検体は、寝台操作部１５の操作によって、撮像空間内へ移動される。
【００１３】
図２は、架台カバー１６の構成例を示す説明図である。例えば、図２に示すように、架台カバー１６は、部分カバー１６ａ〜１６ｉに分割される。ここで、部分カバー１６ａは、磁石架台１１の右側面下側に配置される。部分カバー１６ｂは、磁石架台１１の右側面上側に配置される。部分カバー１６ｃは、磁石架台１１の左側側面に配置される。部分カバー１６ｄは、磁石架台１１の上面に配置される。部分カバー１６ｅは、磁石架台１１の前面の中央周辺に配置される。部分カバー１６ｆは、磁石架台１１の後面に配置される。部分カバー１６ｇは、磁石架台１１の前面上部に配置される。部分カバー１６ｈは、磁石架台１１の前面左側下部に配置される。部分カバー１６ｉは、磁石架台１１の前面右側下部に配置される。
【００１４】
このように、架台カバー１６を複数の部分カバー１６ａ〜１６ｉに分解可能に構成することによって、例えば、架台装置１０が設置又は撤去される際などに、作業員が、架台カバー１６を分解して容易に運搬することができるようになる。また、例えば、磁石架台１１の局所的な点検が行われる場合に、作業員が、点検したい箇所を覆う部分カバーを取り外すだけで、容易に点検の作業を行うことができるようになる。
【００１５】
なお、架台カバー１６における部分カバーの区分けは、図２に例示したものに限られない。例えば、図２では、架台カバー１６が９つの部分カバーに分割される場合の例を示したが、架台カバー１６は、９つよりより多い数に分割されてもよいし、９つより少ない数に分割されてもよい。
【００１６】
架台装置１０の設置又は撤去にかかる架台装置１０の搬送時には、その作業性を確保するため、架台カバー１６の一部が取り外される。例えば、運搬用トラックの荷台等への載せ降ろし作業では、クレーンで吊り上げるための吊り器具を架台装置１０の上側に取り付ける関係上、少なくとも部分カバー１６ｄを取り外すこととなる。また載せ降ろしの着地時に架台カバー１６と地面とが接触しないように、部分カバー１６ｈ、１６ｉ等の下側の架台カバー１６も取り外してもよい。
【００１７】
図３は、実施形態にかかる吊り治具１Ｌ、１Ｒ、２Ｌ、２Ｒを架台装置１０の上部へ装着した装着例を説明する説明図である。図３に示すように、架台装置１０の載せ降ろし作業の際に、作業員は、部分カバー１６ｄ、１６ｈ、１６ｉ等を取り外す。そして、磁石架台１１の上部において予め定められた吊り器具の取付位置に吊り治具１Ｌ、１Ｒ、２Ｌ、２Ｒを装着する。なお、以後の説明では、吊り治具１Ｌ、１Ｒ、２Ｌ、２Ｒの位置、方向について、吊り治具１Ｌ、１Ｒ、２Ｌ、２Ｒを磁石架台１１の上部に装着した状態での前後方向、左右方向、上下方向として定義する。
【００１８】
図４は、図３の領域Ｒ１を左上方向から見下ろした場合の説明図である。図４に示すように、吊り治具１Ｌ、２Ｌは、磁石架台１１の左側上部に装着される。また、吊り治具１Ｒ、２Ｒは、磁石架台１１の右側上部に装着される。磁石架台１１において、吊り器具を取り付けるネジ穴位置には予め孔部１３１、１３２（図５参照）が設けられている。吊り治具１Ｌ、１Ｒ、２Ｌ、２Ｒは、磁石架台１１上の孔部１３１、１３２を介して磁石架台１１にネジ止めされる。なお、吊り治具１Ｌ、２Ｌ、１Ｒ、２Ｒは、図示例のように磁石架台１１に直接装着されてもよいし、磁石架台１１において架台カバー１６等を取り付けるために設けられた板材上に孔部１３１、１３２を介して装着されてもよい。
【００１９】
磁石架台１１の前側において、吊り治具１Ｌ、１Ｒは、板材４Ｌ、４Ｒを介して磁石架台１１に装着される。これは、前側を覆う部分カバー１６ｇが広く後側まで覆い、吊り器具を取り付けるネジ穴へ直に吊り治具１Ｌ、１Ｒを装着することが困難であることから、吊り治具１Ｌ、２Ｌの取付位置を後側へ逃すためである。また、磁石架台１１の後側において、吊り治具２Ｌ、２Ｒは、後側を覆う部分カバー１６ｆの影響が少ないことから、吊り器具を取り付けるネジ穴へ直にネジ止めされる。
【００２０】
このように、吊り治具１Ｌ、１Ｒ、２Ｌ、２Ｒにおける前後の構成は異なるが、左右の構成は略対称であることから、以後の説明では、吊り治具１Ｌ、２Ｌ側を例示して詳細な説明を行うものとする。
【００２１】
図５は、吊り治具１Ｌ、２Ｌの装着にかかる構成を示す分解斜視図である。図５に示すように、孔部１３１、１３２の近傍には、カラー１５１を介したネジ１５２が磁石架台１１に取り付けられている。前側のカラー１５１には、板材４Ｌが係合部１２３により係合される。この係合された板材４Ｌは、孔部１２２、１３１を通したネジ１５３により磁石架台１１にネジ止めされる。板材４Ｌには、吊り治具１Ｌがネジ１５４によりネジ止めされる。また、後側のカラー１５１には、吊り治具２Ｌが係合された後に、ネジ１５５によりネジ止めされる（詳細は後述する）。そして、吊り治具１Ｌ、２Ｌの上部には、ホイストリング等の吊り器具１６１がネジなどで取り付けられる。
【００２２】
図６は、吊り治具１Ｌの前側の斜視図である。図７は、吊り治具１Ｌの左側の斜視図である。図８は、吊り治具１Ｌの上側の斜視図である。
【００２３】
図６に示すように、吊り治具１Ｌは、柱材１０２の下部において、板材４Ｌへの装着を行うための孔部１０３が設けられた装着部１０１と、柱材１０２の上部において、吊り器具１６１を取り付けるための取付部１０４とを備える構成である。この装着部１０１、柱材１０２に用いられる素材は、吊り上げ時の荷重に耐えられるものであれば、いずれであってもよく、例えば金属であってもよい。また、装着部１０１、柱材１０２は、一体形成されてもよい。
【００２４】
装着部１０１は、吊り治具１Ｌを装着した際に柱材１０２が略垂直（上向き）となるように、柱材１０２対して所定の角度を持って設けられる。具体的には、図６に示すように、円筒形である磁石架台１１の左側において下側に落ち込む傾斜に対応した角度で設けられる。また、図８に示すように、装着部１０１には、ネジ１５４を通すための孔部１０３が設けられている。
【００２５】
柱材１０２は、上下方向で所定の長さを有し、例えば角柱形状の柱であってよい。なお、柱材１０２の形状については、円筒形状であってもよく、図示例に限定しない。この柱材１０２は、図７に示すように、上下の中間部分において削り加工などで薄肉とした薄肉部１０５を有する。このように、薄肉部１０５を設けることで、吊り治具１Ｌの軽量化を図ることができる。
【００２６】
また、図８に示すように、柱材１０２の上部にはネジ穴などである取付部１０４が設けられており、吊り器具１６１は取付部１０４にネジ付けされる。また、取付部１０４は、吊り治具１Ｌ、板材４Ｌを用いることなく磁石架台１１に吊り器具１６１を装着し、その吊り器具１６１を介して磁石架台１１を吊り上げる際の、吊り器具１６１に加わる力の力線に沿った位置に設けられている（詳細は後述する）。
【００２７】
図９は、板材４Ｌの斜視図である。図９に示すように、板材４Ｌは、鋼板などを素材とし、平板状に形成された板金１２１である。この板金１２１には、孔部１２２と、係合部１２３と、孔部１２４とが形成されている。孔部１２２は、磁石架台１１に板材４Ｌを装着する際にネジ１５３で孔部１３１にネジ止めするためのネジ穴である。係合部１２３は、板金１２１の辺（前側）の一部を欠いたＵ字形状のスライド穴であり、磁石架台１１に装着した際にカラー１５１をスライドさせて係合する。すなわち、板材４Ｌを磁石架台１１に装着する際には、前側にスライドさせて係合部１２３にカラー１５１を係合させる。そして、孔部１２２にネジ１５３を差し込み、孔部１３１を通して磁石架台１１にネジ止めする。孔部１２４は、孔部１０３を通したネジ１５４を受けるネジ穴である。
【００２８】
このように、板材４Ｌは、ネジ１５３によるネジ止め位置とは異なる位置で、カラー１５１に係合される構成である。したがって、板材４Ｌは、ネジ１５３を中心軸とした回転が防止され、吊り治具１Ｌを安定して装着することができる。
【００２９】
図１０は、吊り治具２Ｌの後側の斜視図である。図１１は、吊り治具２Ｌの上側の斜視図である。
【００３０】
図１０に示すように、吊り治具２Ｌは、柱材１１２の下部において、磁石架台１１への装着を行うための孔部１１３が設けられた装着部１１１と、柱材１１２の上部において、吊り器具１６１を取り付けるための取付部１１４とを備える構成である。この装着部１１１、柱材１１２に用いられる素材は、吊り上げ時の荷重に耐えられるものであれば、いずれであってもよく、例えば金属であってもよい。また、装着部１１１、柱材１１２は一体形成されてもよい。
【００３１】
装着部１１１は、吊り治具２Ｌを装着した際に柱材１１２が略垂直（上向き）となるように、柱材１１２対して所定の角度を持って設けられる。具体的には、図１０に示すように、円筒形である磁石架台１１の左側において下側に落ち込む傾斜に対応した角度で設けられる。また、図１１に示すように、装着部１１１には、ネジ１５５を通すための孔部１１３と、係合部１１５とが設けられている。
【００３２】
係合部１１５は、装着部１１１の辺（後側）の一部を欠いたＵ字形状のスライド穴であり、磁石架台１１に装着した際にカラー１５１をスライドさせて係合する。すなわち、吊り治具２Ｌを磁石架台１１に装着する際には、後側にスライドさせて係合部１１５にカラー１５１を係合させる。そして、孔部１１３にネジ１５５を差し込み、孔部１３２を通して磁石架台１１にネジ止めする。
【００３３】
このように、吊り治具２Ｌは、ネジ１５５によるネジ止め位置とは異なる位置で、カラー１５１に係合される構成である。したがって、吊り治具２Ｌは、ネジ１５５を中心軸とした回転が防止され、磁石架台１１に対して安定して装着される。
【００３４】
また、図１１に示すように、柱材１１２の上部にはネジ穴などである取付部１１４が設けられており、吊り器具１６１は取付部１１４にネジ付けされる。また、取付部１１４は、吊り治具２Ｌを用いることなく磁石架台１１に吊り器具１６１を装着し、その吊り器具１６１を介して磁石架台１１を吊り上げる際の、吊り器具１６１に加わる力の力線に沿った位置に設けられている（詳細は後述する）。
【００３５】
図１２は、架台カバー１６を外した磁石架台１１を上から見た平面図である。図１２に示すように、吊り器具１６１を取り付けるための孔部１３１、１３２は、磁石架台１１の前後の縁近傍にあり、架台カバー１６を取り付けた場合には吊り器具１６１が干渉しやすい位置にある。
【００３６】
図１３は、部分カバー１６ｂ、１６ｃ、１６ｆ、１６ｇ、吊り治具１Ｌ、１Ｒ、２Ｌ、２Ｒを装着した磁石架台１１を上から見た平面図である。図１４は、図１３の領域Ｒ２の拡大図である。図１３に示すように、吊り治具１Ｌ、１Ｒ、２Ｌ、２Ｒを磁石架台１１に装着して吊り器具１６１の取付位置を上に逃すことで、部分カバー１６ｂ、１６ｃ、１６ｆ、１６ｇを装着する場合であっても、吊り器具１６１は、部分カバー１６ｂ、１６ｃ、１６ｆ、１６ｇに干渉することがない。したがって、部分カバー１６ｂ、１６ｃ、１６ｆ、１６ｇを取り付けた状態での吊り上げの作業時において、吊り器具１６１の部分カバー１６ｂ、１６ｃ、１６ｆ、１６ｇへの干渉に注意する必要がなく、その作業性がより向上することとなる。
【００３７】
また、図１４に示すように、ネジ１５３の取付位置が部分カバー１６ｇの近くになる場合は、部分カバー１６ｇ側において、ネジ１５３の取付位置近傍に凹部１６２を設けてもよい。この場合、ネジ１５３の取り付け／取り外し作業を容易とすることができる。
【００３８】
図１５は、吊り治具２Ｌにかかる力線Ｐを説明する説明図である。図１５に示すように、力線Ｐは、吊り器具１６１にロープなどを掛けて吊り上げる際に吊り器具１６１に加わる力の方向を示している。この力線Ｐは、吊り治具２Ｌを用いず、ネジ１５５の所に吊り器具１６１を取り付けて吊り上げる場合において、ロープの長さやクレーンで吊り上げる際にロープがなす角度などで、所定の方向となるように定められている。したがって、吊り治具２Ｌにおける吊り器具１６１の取り付け位置を力線Ｐ上に略一致させることで、吊り治具２Ｌを用いて吊り上げる場合であっても、ネジ１５５の所に吊り器具１６１を取り付けて吊り上げる場合に想定した力と同等の力で磁石架台１１を吊り上げることができる。
【００３９】
図１６は、吊り治具１Ｌにかかる力線Ｐを説明する説明図である。図１６に示すように、力線Ｐは、吊り治具１Ｌ、板材４Ｌを用いず、ネジ１５３の所に吊り器具１６１を取り付けて吊り上げる場合において、ロープの長さやクレーンで吊り上げる際にロープがなす角度などで、所定の方向となるように定められている。したがって、吊り治具１Ｌにおける吊り器具１６１の取り付け位置を力線Ｐ上に略一致させることで、吊り治具１Ｌを用いて吊り上げる場合であっても、ネジ１５３の所に吊り器具１６１を取り付けて吊り上げる場合に想定した力と同等の力で磁石架台１１を吊り上げることができる。
【００４０】
図１７は、吊り上げ作業前を説明する説明図である。図１８は、吊り上げ作業時を説明する説明図である。図１７に示すように、吊り上げ作業前には、吊り治具１Ｌ、１Ｒ（吊り治具２Ｌ、２Ｒも同様）の上部に吊り器具１６１を取り付ける。この吊り器具１６１は、吊り治具１Ｌ、１Ｒにより通常の取り付け位置よりも上側に逃がされているため、部分カバー１６ｇ等に干渉することがない。そして、図１８に示すように、作業員は、クレーン１７０にかけたロープ１７１を吊り器具１６１に取り付けて吊り上げる。
【００４１】
以上説明した少なくともひとつの実施形態によれば、架台装置１０を吊り上げる際の作業性を向上することができる。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１Ｌ、１Ｒ、２Ｌ、２Ｒ…吊り治具、４Ｌ、４Ｒ…板材、１０…架台装置、１１…磁石架台、１６…架台カバー、１６ａ〜１６ｉ…部分カバー、１０１、１１１…装着部、１０２、１１２…柱材、１０４、１１４…取付部、１０３、１１３、１２２、１２４、１３１、１３２…孔部、１０５…薄肉部、１１５、１２３…係合部、１２１…板金、１５１…カラー、１５２〜１５５…ネジ、１６１…吊り器具、１６２…凹部、Ｐ…力線
【図１】
2015104482.tif 000003
【図２】
2015104482.tif 000004
【図３】
2015104482.tif 000005
【図４】
2015104482.tif 000006
【図５】
2015104482.tif 000007
【図６】
2015104482.tif 000008
【図７】
2015104482.tif 000009
【図８】
2015104482.tif 000010
【図９】
2015104482.tif 000011
【図１０】
2015104482.tif 000012
【図１１】
2015104482.tif 000013
【図１２】
2015104482.tif 000014
【図１３】
2015104482.tif 000015
【図１４】
2015104482.tif 000016
【図１５】
2015104482.tif 000017
【図１６】
2015104482.tif 000018
【図１７】
2015104482.tif 000019
【図１８】
2015104482.tif 000020